(57)【要約】      （修正有）【課題】ラッチ機構に必要なスペースを減らすことができ、実装スペースを有効に使うことのできる電子モジュールを提供する。【解決手段】ケージに挿抜自在に設けられるモジュール本体に、そのケージに挿入時、ケージに形成した係合穴と係合するラッチ部材を備えた電子モジュールにおいて、モジュール本体に、上記ケージの係合穴と係脱する回転爪１２を、モジュール本体面１３に対して出没するよう回転自在に設けると共に、モジュール本体にその回転爪１２を回動させる操作部材１４を設けたものである。【選択図】図３
2006332166.tif 000002
【特許請求の範囲】
【請求項１】
ケージに挿抜自在に設けられるモジュール本体に、そのケージに挿入時、ケージに形成した係合穴と係合するラッチ部材を備えた電子モジュールにおいて、モジュール本体に、上記ケージの係合穴と係脱する回転爪を、モジュール本体面に対して出没するよう回転自在に設けると共に、モジュール本体にその回転爪を回動させる操作部材を設けたことを特徴とする電子モジュール。
【請求項２】
操作部材は、モジュール本体の挿入後端部を囲繞するスリーブからなり、ケージ内に収容されるモジュール本体内に回転爪がケージの係合穴と係合するよう回転自在に設けられ、上記スリーブは挿入方向にスライドしたとき回転爪の内側の内爪部に係合して回転爪の回動を規制するアーム部を有する請求項１記載の電子モジュール。
【請求項３】
上記スリーブとモジュール本体との間にスリーブを挿入方向に弾発付勢するバネを設けた請求項２記載の電子モジュール。
【請求項４】
ケージに挿抜自在に設けられるモジュール本体に、そのケージに挿入時、ケージに形成した係合穴と係合するラッチ部材を備えた電子モジュールにおいて、モジュール本体に、上記ケージの係合穴と係脱するスライド爪を、モジュール本体面に対して転回しながら出没するようスライド自在に設けると共に、モジュール本体にそのスライド爪をスライド移動させる操作部材を設けたことを特徴とする電子モジュール。
【請求項５】
操作部材は、モジュール本体の挿入後端部を囲繞するスリーブと、該スリーブに連結されると共にスライド爪に連結されスライド爪をモジュール本体外に向けて弾発付勢するスプリングとを備えて構成され、上記モジュール本体には、上記スライド爪を転回させながらスライドさせるガイドが設けられた請求項４記載の電子モジュール。
【発明の詳細な説明】
【技術分野】
【０００１】
本発明は、ケージと係合するラッチ部材を備えた電子モジュールに関するものである。
【背景技術】
【０００２】
図１６に示すように、ケージ４０に挿抜自在に挿入する光トランシーバ等の電子モジュール４１としては、モジュール本体４２の両側にケージ４０に係合するラッチ部材４３を幅方向外側に弾発付勢して設けるものが知られている。具体的には、この電子モジュール４１は、両側に板バネ状のアーム４４を有し、これらのアーム４４にラッチ部材４３を設けて構成されている。アーム４４は、それぞれ挿入方向側の端をモジュール本体４２に固定されて先端を自由に形成されており、アーム４４の先端を押し狭めることでラッチ部材４３を幅方向内側に移動させ、ケージ４０との係合を解除するようになっている。これによれば、左右一対のアーム４４をつまむことでロックを解除できる。
【０００３】
【特許文献１】米国特許第６１７８０９６Ｂ１号明細書
【発明の開示】
【発明が解決しようとする課題】
【０００４】
しかしながら、上述の電子モジュール４１は、アーム４４を幅方向内側に屈曲させてラッチ部材４３をモジュール本体４２内に没入させるものであるため、少なくともラッチ部材４３の突出幅と同じ大きさの可動スペースがモジュール本体４２内に必要であり、ラッチ機構の寸法が大きくなってしまい、小型化が困難であるという課題があった。
【０００５】
また、上述の電子モジュール４１は、アーム４４のつまみ方が弱いとラッチ部材４３がケージ４０から外れず、電子モジュール４１を容易かつスムーズに引き抜くことができなかった。
【０００６】
そこで、本発明の目的は、上記課題を解決し、ラッチ機構に必要なスペースを減らすことができ、実装スペースを有効に使うことのできる電子モジュールを提供することにある。
【課題を解決するための手段】
【０００７】
上記課題を解決するために本発明は、ケージに挿抜自在に設けられるモジュール本体に、そのケージに挿入時、ケージに形成した係合穴と係合するラッチ部材を備えた電子モジュールにおいて、モジュール本体に、上記ケージの係合穴と係脱する回転爪を、モジュール本体面に対して出没するよう回転自在に設けると共に、モジュール本体にその回転爪を回動させる操作部材を設けたものである。
【０００８】
また、操作部材は、モジュール本体の挿入後端部を囲繞するスリーブからなり、ケージ内に収容されるモジュール本体内に回転爪がケージの係合穴と係合するよう回転自在に設けられ、上記スリーブが挿入方向にスライドしたとき回転爪の内側の内爪部に係合して回転爪の回動を規制するアーム部を有するとよい。
【０００９】
上記スリーブとモジュール本体との間にスリーブを挿入方向に弾発付勢するバネを設けるとよい。
【００１０】
また、ケージに挿抜自在に設けられるモジュール本体に、そのケージに挿入時、ケージに形成した係合穴と係合するラッチ部材を備えた電子モジュールにおいて、モジュール本体に、上記ケージの係合穴と係脱するスライド爪を、モジュール本体面に対して転回しながら出没するようスライド自在に設けると共に、モジュール本体にそのスライド爪をスライド移動させる操作部材を設けたものである。
【００１１】
操作部材は、モジュール本体の挿入後端部を囲繞するスリーブと、該スリーブに連結されると共にスライド爪に連結されスライド爪をモジュール本体外に向けて弾発付勢するスプリングとを備えて構成され、上記モジュール本体には、上記スライド爪を転回させながらスライドさせるガイドが設けられるとよい。
【発明の効果】
【００１２】
本発明によれば、ラッチ機構に必要なスペースを減らすことができ、実装スペースを有効に使うことができる。
【発明を実施するための最良の形態】
【００１３】
図１及び図２に示すように、電子モジュールたる光トランシーバ１は、ケージ２に挿抜自在に設けられるモジュール本体３に、そのケージ２に挿入時、ケージ２に形成した係合穴４と係合するラッチ部材５を備えて構成されている。
【００１４】
ケージ２は、寸法、形状等を規格で定められたものであり、両側に光トランシーバ１を係止するための係合穴４を有し、内部に光トランシーバ１と電気的に接続されるコネクタ（図示せず）を有する。
【００１５】
モジュール本体３は、挿抜方向に長い箱状に形成されており、挿入前端部にケージ２内のコネクタに接続されるカードエッジ部６を有し、挿入後端部に光ケーブル（図示せず）に接続される光コネクタ７を有している。また、モジュール本体３は、内部に送信用小型光デバイス（TOSA:Transmitter Optical Sub-Assembly）８、受信用小型光デバイス（ROSA:Receiver Optical Sub-Assembly）９及びこれら光デバイス８、９に接続される複数の回路基板（図示せず）を有して構成されている。またさらに、モジュール本体３には、ケージ２の係合穴４と係脱するラッチ部材５たる回転爪１２がモジュール本体面１３に対して出没するように回転自在に設けられると共に、その回転爪１２を回動させる操作部材１４が設けられている。
【００１６】
図３及び図４に示すように、回転爪１２は、モジュール本体３に枢支される回転軸１５と、回転軸１５から径方向に突出して形成されケージ２の係合穴４に係合される外爪部１６と、回転軸１５から径方向に突出して形成され後述する操作部材１４に係合される内爪部１７とを備えて構成されており、回転軸１５の軸方向の中央部を２方向に拡径した略扇状に形成されている。内爪部１７は、外爪部１６と略直角に交差する方向に外爪部１６より小さく拡径して形成されている。回転爪１２は、それぞれモジュール本体３内の両側にケージ２の係合穴４と係合するように位置を決めて縦軸回り回転自在に設けられている。また、回転爪１２は、モジュール本体３の外壁に臨む位置に回転軸１５を位置させており、外爪部１６及び内爪部１７の長さを必要最小限に抑えるようになっている。
【００１７】
操作部材１４は、モジュール本体３の挿入後端部を囲繞するスリーブ１８からなる。スリーブ１８は、正面視矩形枠状に形成されており、内部に左右一対の光コネクタ７を位置させるようになっている。スリーブ１８の両側には、軸方向の中央を窪ませてなるつまみ部１９が形成されており、スリーブ１８の両側を摘んで挿抜方向にスライド操作できるようになっている。また、スリーブ１８は、挿入方向にスライドしたとき回転爪１２の内爪部１７に係合して回転爪１２の回動を規制するアーム部２０を有する。アーム部２０は、スリーブ１８の両側から挿入方向に延びて形成されており、モジュール本体３内に挿抜方向にスライド自在に収容されている。具体的には、アーム部２０は、モジュール本体３の外殻を構成する筐体２１に沿って摺動するように構成されている。また、モジュール本体３内には、アーム部２０を内側からガイドするためのガイド部材２２が設けられており、アーム部２０を安定してスライドできるようになっている。アーム部２０の挿入先端には、回転爪１２がモジュール本体３内に没入しているとき内爪部１７に当接して内爪部１７を挿入方向に押すための押込面２３が形成されている。また、アーム部２０の挿入先端側の側面には、回転爪１２の外爪部１６がモジュール本体３外に突出されたときに内爪部１７に当接して回転爪１２の回動を規制する係止面２４が形成されている。係止面２４は、アーム部２０が挿入方向にスライドされたとき回転爪１２の回転軸１５の外周に沿うように側面を内側に後退させて形成されている。
【００１８】
スリーブ１８とモジュール本体３との間には、スリーブ１８を挿入方向に弾発付勢するバネ２５が設けられている。具体的にはバネ２５は、コイルバネからなり、一端を筐体２１の挿入後端側の内面２６に係合されると共に他端をアーム部２０の挿入先端側に形成された段状面２７に係合されている。段状面２７は、アーム部２０の側面に挿抜方向に延びて形成された溝２８内の挿入先端側に形成されており、バネ２５はこの溝２８内に一部収容されるようになっている。溝２８の挿入後端側の面２９は、スリーブ１８が十分挿入先端側にスライドされて回転爪１２をロックしたとき筐体２１の挿入後端側の内面２６と面一となるように形成されており、バネ２５の一端に係合されるようになっている。これにより、スリーブ１８が十分挿入先端側にスライドされたとき、バネ２５の両端を溝２８の対向する内面２７、２９で係止し、スリーブ１８が必要以上に挿入方向に押されるのを防ぐようになっている。
【００１９】
筐体２１の挿入後端部には、両側に突出する鍔部３０が形成されており、スリーブ１８を摘みながら押すことで容易にスリーブ１８を挿入後端側にスライドさせた状態に保つことができるようになっている。
【００２０】
次に本実施の形態の作用を述べる。
【００２１】
図４及び図５に示すように、外爪部１６がケージ２の係合穴４に係合されている状態で光コネクタに接続された光ケーブルが引っ張られ、モジュール本体３に引き抜き方向の力が作用すると、回転爪１２の外爪部１６が係合穴４の縁に当接して挿入方向側に押される。回転爪１２は回転軸１５回りに回動しようとするが、アーム部２０に当たって回動を規制される。このため、回転爪１２が係合穴４から外れることはなく、光トランシーバ１がケージ２から外れることもない。
【００２２】
図６及び図７に示すように、ケージ２から光トランシーバ１を取り外す場合、スリーブ１８を指で摘み、引く。スリーブ１８を引き始めた当初、モジュール本体３は回転爪１２でケージ２に留められているためケージ２に対して動くことはなく、スリーブ１８のみがモジュール本体３に対してスライドする。スリーブ１８が所定の位置までスライドされ、アーム部２０が回転爪１２の内爪部１７から離れると、回転爪１２のロックが解除され、回転爪１２の回転が自由となる。これにより、ケージ２の係合穴４内縁に当接してモジュール本体３の移動を止めていた回転爪１２はケージ２から受ける力で回転され、モジュール本体３内に没入される。ケージ２に対するモジュール本体３のスライドが自由となり、ケージ２から光トランシーバ１を引き抜くことができる。このとき、スリーブ１８を摘みながら筐体２１の鍔部３０を挿入方向側に押しておくことで、モジュール本体３がバネ２５の力で急激にスリーブ１８側に移動するのを防ぐことができる。スリーブ１８と鍔部３０から手を離すと、スリーブ１８はバネ２５の力でモジュール本体３の挿入方向側に移動され、再び回転爪１２の回動が規制される。
【００２３】
このように、モジュール本体３に、ケージ２の係合穴４と係脱する回転爪１２を、モジュール本体面１３に対して出没するよう回転自在に設けると共に、モジュール本体３にその回転爪１２を回動させる操作部材１４を設けて光トランシーバ１を構成したため、回転爪１２が回転できるだけのスペースをモジュール本体３内に用意すればよく、ラッチ部材５の移動に必要なスペースを減らすことができ、実装スペースを有効に使うことができる。
【００２４】
操作部材１４は、モジュール本体３の挿入後端部を囲繞するスリーブ１８からなり、ケージ２内に収容されるモジュール本体３内に回転爪１２がケージ２の係合穴４と係合するよう回転自在に設けられ、スリーブ１８は挿入方向にスライドしたとき回転爪１２の内側の内爪部１７に係合して回転爪１２の回動を規制するアーム部２０を有するものとしたため、スリーブ１８を引くことで回転爪１２のロックを解除できる。モジュール本体３を取り外すための操作とロック解除のための操作とが共通であるため、ケージ２と光トランシーバ１とのロック解除を意識しなくともケージ２から光トランシーバ１を引き抜くことができ、ケージ２から光トランシーバ１を容易かつスムーズに取り外すことができる。そして、回転爪１２を簡単な機構で確実にロック又はロック解除できる。
【００２５】
スリーブ１８とモジュール本体３との間にスリーブ１８を挿入方向に弾発付勢するバネ２５を設けたため、モジュール本体３をケージ２内に挿入したとき、スリーブ１８を確実に挿入方向にスライドさせることができ、確実に回転爪１２の回動をロックすることができる。
【００２６】
なお、両側に係合穴４を有するケージ２と、このケージ２に装着する光トランシーバ１とを例に挙げて説明したが、これに限るものではない。ケージは係合穴４を上下左右のいずれに形成する規格のものであってもよく、係合穴４を単数又は複数形成する規格のものであってもよい。この場合、光トランシーバはケージの規格に合わせて回転爪１２の位置を変更するとよい。光トランシーバ１は、他のタイプの電子モジュールであってもよい。
【００２７】
また、回転爪１２は略扇状に形成するものとしたが、外爪部１６と内爪部１７とを有する形状であれば、三角形状やＬ字状等の他の形状であってもよい。
【００２８】
バネ２５は、コイルバネからなるものとしたが、板バネ等の他のタイプのバネであっても構わない。
【００２９】
他の実施の形態について述べる。
【００３０】
図８、図９及び図１０は、本実施の形態に係る光トランシーバの要部平面図であり、図８はケージに装着した状態を示し、図９はケージから引き抜いている状態を示し、図１０はケージに挿入している状態を示す。
【００３１】
本実施の形態は、上述の実施の形態の回転爪１２と操作部材１４に変更を加えたものである。他の同様の構成については説明を省き同符号を付す。
【００３２】
図８に示すように、回転爪５０は、モジュール本体５５に幅方向移動可能に枢支される回転軸５１と、回転軸５１から径方向に突出して形成されケージ２の係合穴４に係合される外爪部５２と、回転軸５１から径方向に突出して形成され後述する操作部材５３に係合される内爪部５４とを備えて構成されており、モジュール本体面６１に対して出没するよう回転自在に設けられている。回転軸５１は、両端をモジュール本体５５に形成された長穴５６に挿入されて幅方向移動可能にされており、幅方向内側に移動することで回転爪５０をモジュール本体５５内に没入させるようになっている。内爪部５４は、外爪部５２と略直角に交差する方向に外爪部５２より小さく拡径すると共に、その先端をモジュール本体５５内に延ばすように鉤型に屈曲して形成されている。また、回転爪５０は、モジュール本体５５の外壁に臨む位置に回転軸５１を位置させており、外爪部５２及び内爪部５４の長さを必要最小限に抑えるようになっている。
【００３３】
操作部材５３は、モジュール本体５５の挿入後端部を囲繞するスリーブ５７からなる。スリーブ５７は、正面視矩形枠状に形成されており、内部に左右一対の光コネクタ（図示せず）を位置させるようになっている。スリーブ５７は、両側のつまみ部１９を摘んで挿抜方向に力を加えることで軸方向にスライドするようになっている。また、スリーブ５７は、挿入方向にスライドしたとき回転爪５１の内爪部５４に係合して回転爪５１の回動を規制するアーム部５８を有する。アーム部５８は、板バネにて形成されており、スリーブ５７の両側からそれぞれ挿入方向に延びて形成されている。アーム部５８は、挿入先端側を幅方向に弾発的に屈曲させるように板面を側方に向けており、回転爪５１の幅方向内側への移動を許容しつつ回転爪５１を幅方向外側へ弾発付勢するようになっている。また、アーム部５８は、モジュール本体５５内に没入されたとき、側面に回転爪５０の内爪部５４を当接させると共に、先端に内爪部５４の鉤部５９を当接させるようになっている。これにより、アーム部５８は、回転爪５０が幅方向内側に押されたとき、その力を側面で受けて屈曲し、回転爪５０のモジュール本体５５への没入を許容すると共に、回転爪５０の外爪部５２の挿入方向側への回動を規制するようになっている。
【００３４】
また、スリーブ５７とモジュール本体５５との間には、スリーブ５７を挿入方向に弾発付勢する戻りバネ（図示せず）が設けられている。具体的には、戻りバネは、スリーブ５７内に位置されている。
【００３５】
次に本実施の形態の作用を述べる。
【００３６】
図８に示すように、外爪部５２がケージ２の係合穴４に係合されている状態で光コネクタに接続された光ケーブルが引っ張られ、モジュール本体５５に引き抜き方向の力が作用すると、回転爪５０の外爪部５２が係合穴４の縁に当接して挿入方向側に押される。回転爪５０は回転軸５１回りに回動しようとして鉤部５９でアーム部５８を押すが、アーム部５８を長手方向に押すため、アーム部５８が変形することはなく、回転爪５０の回動は規制される。このため、回転爪５０が係合穴４から外れることはなく、光トランシーバ６０がケージ２から外れることもない。
【００３７】
ケージ２から光トランシーバ６０を取り外す場合、スリーブ５７を指で摘み、引く。図９に示すように、スリーブ５７は、モジュール本体５５に対して抜き方向にスライドし始め、アーム部５８が回転爪５０の鉤部５９から離間する。これにより回転爪５０の回転は自由となる。モジュール本体５５がケージ２に対してスライドを始めると、回転爪５０は係合穴４の縁に押し回されてモジュール本体５５内に没入し、ケージ２から光トランシーバ６０を容易に引き抜くことができる。この後、スリーブ５７から手を離すと、スリーブ５７はその内側の戻りバネの力でモジュール本体５５の挿入方向側に移動され、再び回転爪５０の回動が規制される。
【００３８】
また、ケージ２に光トランシーバ６０を装着する場合、スリーブ５７を指で摘み、光トランシーバ６０をケージ２内に挿入する。光トランシーバ６０が所定の長さ挿入されると、ケージ２の挿入口に回転爪５０の外爪部５２が当たるが、アーム部５８が幅方向内側に曲がって回転爪５０の幅方向の移動を許容し、回転爪５０をモジュール本体５５内に没入させるため、光トランシーバ１の挿入を阻害することはない。
【００３９】
さらに深く光トランシーバ１を挿入し、回転爪５０がケージ２の係合穴４の位置に至ると、回転爪５０はアーム部５８の弾発力によってモジュール本体５５外に押し出され、係合穴４内に挿入される。これにより、光トランシーバ６０は回転爪５０でケージ２にロックされ、ケージ２に装着される。
【００４０】
このように、モジュール本体５５に、ケージ２の係合穴４と係脱する回転爪５０を、モジュール本体面６１に対して出没するよう回転自在に設けると共に、モジュール本体５５にその回転爪５０を回動させる操作部材５３を設けて光トランシーバ６０を構成したため、ラッチ機構に必要なスペースを減らすことができ、実装スペースを有効に使うことができる。
【００４１】
また、操作部材５３は、モジュール本体５５の挿入後端部を囲繞するスリーブ５７からなり、ケージ２内に収容されるモジュール本体５５内に回転爪５０がケージ２の係合穴４と係合するよう回転自在に設けられ、スリーブ５７は挿入方向にスライドしたとき回転爪５０の内側の内爪部５４の鉤部５９に係合して回転爪５０の回動を規制するアーム部５８を有するものとしたため、スリーブ５７を引くことで回転爪５０のロックを解除できる。モジュール本体５５を取り外すための操作とロック解除のための操作とが共通であるため、ケージ２と光トランシーバ６０とのロック解除を意識しなくともケージ２から光トランシーバ６０を引き抜くことができ、ケージ２から光トランシーバ６０を容易かつスムーズに取り外すことができる。そして、回転爪５０を簡単な機構で確実にロック又はロック解除できる。
【００４２】
さらに他の実施の形態について述べる。
【００４３】
図１１、図１２、図１３は、本実施の形態に係る光トランシーバの要部平面図であり、図１１はケージに装着した状態を示し、図１２はケージから引き抜いている状態を示し、図１３はケージに挿入している状態を示す。
【００４４】
本実施の形態は、上述の実施の形態のラッチ部材５と操作部材１４に変更を加えたものである。他の同様の構成については説明を省き同符号を付す。
【００４５】
図１１に示すように、ラッチ部材７０は、モジュール本体面７１に対して転回しながら出没するようにモジュール本体７２にスライド自在に設けられたスライド爪７３からなり、モジュール本体７２の両側にそれぞれ設けられている。
【００４６】
図１３及び図１４に示すように、スライド爪７３は、ケージ２の係合穴４に係合されるブロック状の爪本体部７４と、爪本体部７４に設けられモジュール本体７２に摺接される長円柱状のスライド部７５とを備えて構成されている。スライド部７５は、爪本体部７４の上下両側に対照に延びるように設けられており、それぞれモジュール本体７２に設けられたガイド７６に沿って摺動するように構成されている。特にスライド部７５は、断面長円状に形成されることで外周両側に平面を有すると共に、平面同士の両端を接続する曲面を有し、これら平面を後述する案内溝８１で回動を規制され、或いは曲面を転回するようにガイドされるようになっている。爪本体部７４は、スライド部７５から径方向に突出して形成されており、係合穴４に挿入される爪部７９を有する。爪部７９は、挿入方向側の面８５を、先端に向かうにつれて挿入方向後方に後退させるように傾斜されており、ケージ２やケージ２を収容するホスト機器のパネル８６に当たったとき、スライド爪７３に幅方向の分力を作用させるようになっている。また、スライド爪７３には、後述するスプリング７７を回動自在に連結するための連結部７８が設けられている。具体的には、連結部７８は、複数の弧状の爪８０からなり、スプリング７７の端部を枢支するようになっている。図１３及び図１５に示すように、ガイド７６は、モジュール本体７２にスライド部７５を案内する案内溝８１を形成してなるものである。案内溝８１は、平面視鉤型に屈曲して形成されると共に、屈曲部分を弧状に丸めて形成されており、スライド部７５が幅方向内側に移動するとき、スライド部７５を引き抜き側に案内しつつ爪部７９を挿入側へ向けるようにスライド部７５を転回させるようになっている。また、案内溝８１は、スライド部７５の上下の長さと略同じ深さに形成されており、爪本体部７４を上下のモジュール本体７２間に挟んでガイドするようになっている。
【００４７】
図１１に示すように、操作部材８２は、モジュール本体７２の挿入後端部を囲繞するスリーブ８３と、スリーブ８３に連結されると共にスライド爪７３に連結されスライド爪７３をモジュール本体７２外に向けて弾発付勢するスプリング７７とを備えて構成されており、モジュール本体７２に対して挿抜方向に移動することでスライド爪７３をスライド移動させるようになっている。スリーブ８３は、正面視矩形枠状に形成されており、内部に光コネクタ（図示せず）を位置させるようになっている。スプリング７７は、幅方向に屈曲可能な板バネからなり、スリーブ８３の両側にそれぞれ連結されている。また、スプリング７７はそれぞれスライド爪７３に連結されている。具体的には、スプリング７７のスライド爪７３側の端には上下に延出する軸８４が設けられており、軸８４の両端部をスライド爪７３の弧状の爪８０に回動自在に係合されている。また、スリーブ８３とモジュール本体７２との間には、スリーブ８３を挿入方向に弾発付勢する戻りバネ（図示せず）が設けられている。具体的には、戻りバネは、スリーブ８３内に位置されている。
【００４８】
次に本実施の形態の作用を述べる。
【００４９】
図１１に示すように、スライド爪７３の爪部７９がケージ２の係合穴４に係合されている状態で光コネクタに接続された光ケーブルが引っ張られ、モジュール本体７２に引き抜き方向の力が作用すると、爪部７９が係合穴４の縁に当接して挿入方向側に押される。スライド爪７３にはスライド部７５を中心として回転方向の力が作用するが、スライド部７５は断面長円状に形成されると共に平面状の両側を案内溝８１に当接されているため、案内溝８１に回転を規制され、スライド爪７３が回転することはない。このため、スライド爪７３が係合穴４から外れることはなく、光トランシーバ８７がケージ２から外れることもない。
【００５０】
ケージ２から光トランシーバ８７を取り外す場合、スリーブ８３を指で摘み、引く、図１２に示すように、スリーブ８３はモジュール本体７２に対して抜き方向にスライドし始め、スプリング７７と共にスライド爪７３も引かれる。スライド爪７３は、案内溝８１に沿って幅方向内側に移動しつつ抜き方向側に移動される。このスライド移動に伴って、スライド爪７３は、爪部５２を挿入方向側へ向けるように転回され、スプリング７７は、スライド爪７３に押されて幅方向内側に屈曲される。これにより、スライド爪７３はモジュール本体７２内に没入され、ケージ２から光トランシーバ８７を容易に引き抜くことができる。特にスライド爪７３が爪部５２を挿入方向側へ向けるように転回されるため、スライド爪７３を直線的にスライドさせるよりモジュール本体７２内に形成するスライド爪７３の収容スペースを幅方向に小さくすることができると共に、スライド爪７３がケージ２の係合穴４に引っ掛かるのを防ぐことができ、光トランシーバ８７を円滑に引き抜くことができる。この後、スリーブ８３から手を離すと、スリーブ８３が戻りバネの力でモジュール本体７２の挿入方向側に移動されると共に、スライド爪７３がスプリング７７の弾発力で幅方向外側へ押され、案内溝８１に沿ってスライド移動され、再びスライド爪７３がモジュール本体７２外に突出される。
【００５１】
また、ケージ２に光トランシーバ８７を装着する場合、スリーブ８３を指で摘み、光トランシーバ８７をケージ２内に挿入する。このとき、スライド爪７３の爪部７９がホスト機器のパネル８６に当たるが、爪部７９の挿入方向側の面８５は傾斜されているため、スライド爪７３は爪部７９の挿入方向側の面８５をパネル８６の開口縁に当て擦りながらモジュール本体７２内に没入される。スライド爪７３は、パネル８６を通過すると、モジュール本体７２内に没入した状態のまま再びケージ２の挿入口に当たる。このとき、スプリング７７はスライド爪７３に押されてモジュール本体７２の幅方向内側に曲げられている。
【００５２】
スライド爪７３がケージ２の係合穴４の位置に至ると、スライド爪７３はスプリング７７の弾発力によってモジュール本体７２外に押し出され係合穴４内に挿入される。これにより、光トランシーバ８７はスライド爪７３でケージ２にロックされ、ケージ２に装着される。
【００５３】
このように、モジュール本体７２に、ケージ２の係合穴４と係脱するスライド爪７３を、モジュール本体面７１に対して転回しながら出没するようスライド自在に設けると共に、モジュール本体７２にスライド爪７３をスライド移動させる操作部材８２を設けて光トランシーバ８７を構成したため、スライド爪７３が転回しながら没入できるだけのスペースをモジュール本体７２内に用意すればよく、ラッチ部材７０の移動に必要なスペースを減らすことができ、実装スペースを有効に使うことができる。
【００５４】
また、操作部材８２は、モジュール本体７２の挿入後端部を囲繞するスリーブ８３と、スリーブ８３に連結されると共にスライド爪７３に連結されスライド爪７３をモジュール本体７２外に向けて弾発付勢するスプリング７７とを備えて構成され、モジュール本体７２には、スライド爪７３を転回させながらスライドさせるガイド７６が設けられるものとしたため、スリーブ８３を引くことで容易にスライド爪７３のロックを解除できる。モジュール本体７２を取り出すための操作とロック解除のための操作とが共通であるため、ケージ２と光トランシーバ８７とのロック解除を意識しなくともケージ２から光トランシーバ８７を引き抜くことができ、ケージ２から光トランシーバ８７を容易かつスムーズに取り外すことができる。そして、スライド爪７３を簡単な機構で確実にロック又はロック解除できる。
【図面の簡単な説明】
【００５５】
【図１】ケージに装着された光トランシーバの斜視図である。
【図２】筐体の上部を取り外した光トランシーバの斜視図である。
【図３】光トランシーバの要部拡大斜視図である。
【図４】ケージに装着された光トランシーバの平面図である。
【図５】図４の要部拡大斜視図である。
【図６】ケージから引き抜いている光トランシーバの平面図である。
【図７】図６の要部拡大斜視図である。
【図８】他の実施の形態を示す光トランシーバの要部平面図である。
【図９】他の実施の形態を示す光トランシーバの要部平面図である。
【図１０】他の実施の形態を示す光トランシーバの要部平面図である。
【図１１】他の実施の形態を示す光トランシーバの要部平面図である。
【図１２】他の実施の形態を示す光トランシーバの要部平面図である。
【図１３】他の実施の形態を示す光トランシーバの要部平面図である。
【図１４】他の実施の形態を示すスライド爪の斜視図である。
【図１５】他の実施の形態を示すモジュール本体の要部斜視図である。
【図１６】従来の電子モジュールの斜視図である。
【符号の説明】
【００５６】
１  光トランシーバ（電子モジュール）
２  ケージ
３  モジュール本体
４  係合穴
５  ラッチ部材
１２  回転爪
１３  モジュール本体面
１４  操作部材
１７  内爪部
１８  スリーブ
２０  アーム部
２５  バネ
５０  回転爪
５３  操作部材
５４  内爪部
５５  モジュール本体
５７  スリーブ
５８  アーム部
６０  光トランシーバ（電子モジュール）
６１  モジュール本体面
７０  ラッチ部材
７１  モジュール本体面
７２  モジュール本体
７３  スライド爪
７６  ガイド
７７  スプリング
８２  操作部材
８３  スリーブ
８７  光トランシーバ（電子モジュール）
【図１】
2006332166.tif 000003
【図２】
2006332166.tif 000004
【図３】
2006332166.tif 000005
【図４】
2006332166.tif 000006
【図５】
2006332166.tif 000007
【図６】
2006332166.tif 000008
【図７】
2006332166.tif 000009
【図８】
2006332166.tif 000010
【図９】
2006332166.tif 000011
【図１０】
2006332166.tif 000012
【図１１】
2006332166.tif 000013
【図１２】
2006332166.tif 000014
【図１３】
2006332166.tif 000015
【図１４】
2006332166.tif 000016
【図１５】
2006332166.tif 000017
【図１６】
2006332166.tif 000018